(57)【特許請求の範囲】
【請求項１】
アクセス端末の動作を制御するための方法であって、
通信システムタイミングに基づいて、放送制御メッセージのカプセルの開始を検出し、なお前記カプセルはプリアンブルおよび該プリアンブルに続くデータのパケットを有し、そして
前記検出に基づいて前記アクセス端末のハンドオフ処理を不可能とする
ことを含む方法。
【請求項２】
なお前記検出することは、あらかじめ定義されたデータパターンを有する一連のデータビットを復号する
ことを含む請求項１記載の方法。
【請求項３】
さらに、前記検出されたプリアンブルに続くパケット長を決定することに基づいて放送制御メッセージの前記カプセル内の次のデータのパケットの開始を決定する
ことを含む、請求項２記載の方法。
【請求項４】
さらに、前記次のデータのパケットの開始時刻において次のプリアンブルを探索する
ことを含む請求項３記載の方法。
【請求項５】
さらに、あらかじめ定義されたデータパターンを有する一連のデータビットを復号することを失敗することに基づいて放送制御メッセージの前記カプセルの前記次のプリアンブルを検出することを失敗し、
前記次のプリアンブルを検出することを前記失敗することに基づいて前記アクセス端末の前記ハンドオフ処理を可能とする
ことを含む請求項４記載の方法。
【請求項６】
さらに、放送制御メッセージの前記カプセルの開始の前記検出の後に、あらかじめ定義されたデータパターンを有する一連のデータビットを復号することを失敗することに基づいて、放送制御メッセージのカプセルのプリアンブルを検出することを失敗し、
前記プリアンブルを検出することを前記失敗することに基づいて前記アクセス端末の前記ハンドオフ処理を可能とする、
ことを含む請求項１記載の方法。
【請求項７】
さらに、前記検出されたプリアンブルに続くデータを復号し、
前記復号されたデータの誤りを検出し、
前記プリアンブルを検出することに前記失敗することに基づいて前記アクセス端末の前記ハンドオフ処理を可能とする
ことを含む請求項２記載の方法。
【請求項８】
さらに、前記検出されたプリアンブルに続くデータを復号し、
放送制御メッセージの前記カプセルの終端部を検出し、
前記メッセージの前記検出された終端部に基づいて前記アクセス端末の前記ハンドオフ処理を可能とする
ことを含む請求項２記載の方法。
【請求項９】
アクセス端末の動作を制御するための装置であって、
通信システムタイミングに基づいて、放送制御メッセージのカプセルの開始を検出するための手段と、なお前記カプセルはプリアンブルおよび該プリアンブルに続くデータのパケットを有し、そして
前記検出に基づいて前記アクセス端末のハンドオフ処理を不可能とするための手段と
を含む装置。
【請求項１０】
なお前記検出するための手段は、あらかじめ定義されたデータパターンを有する一連のデータビットを復号するための手段
を含む請求項９記載の装置。
【請求項１１】
さらに、前記検出されたプリアンブルに続くパケット長を決定することに基づいて放送制御メッセージのカプセル内の次のデータのパケットの開始を決定するための手段
を含む請求項１０記載の装置。
【請求項１２】
さらに、前記次のデータのパケットの開始時刻において次のプリアンブルを探索するための手段
を含む請求項１１記載の装置。
【請求項１３】
さらに、あらかじめ定義されたデータパターンを有する一連のデータビットを復号することを失敗することに基づいて放送制御メッセージの前記カプセルの前記次のプリアンブルを検出することを失敗するための手段と、
前記次のプリアンブルを検出することを前記失敗することに基づいて前記アクセス端末の前記ハンドオフ処理を可能とするための手段と
を含む、請求項１２記載の装置。
【請求項１４】
さらに、放送制御メッセージの前記カプセルの開始の前記検出の後に、あらかじめ定義されたデータパターンを有する一連のデータビットを復号することを失敗することに基づいて、放送制御メッセージのカプセルのプリアンブルを検出することを失敗するための手段と、
前記プリアンブルを検出することを前記失敗することに基づいて前記アクセス端末の前記ハンドオフ処理を可能とするための手段と
を含む請求項９記載の装置。
【請求項１５】
さらに、前記検出されたプリアンブルに続くデータを復号するための手段と、
前記復号されたデータの誤りを検出するための手段と、
前記プリアンブルを検出することを前記失敗することに基づいて前記アクセス端末の前記ハンドオフ処理を可能とするための手段と
を含む請求項１０記載の装置。
【請求項１６】
さらに、前記検出されたプリアンブルに続くデータを復号するための手段と、
放送制御メッセージの前記カプセルの終端部を検出するための手段と、
前記メッセージの前記検出された終端部に基づいて前記アクセス端末の前記ハンドオフ処理を可能とするための手段と
を含む請求項１０記載の装置。
【発明の詳細な説明】
【技術分野】
【０００１】
本発明は一般的には通信の分野に、そしてより特定的には通信システムにおけるアクセス端末の動作を制御することに関する。
【背景技術】
【０００２】
無線通信システムにおいては、アクセス端末による不必要なそして過度な動作は、アクセス端末の電池電力の実質的な減少の原因となることが可能である。アクセス端末およびアクセスポイント間に通信されるデータは、システムを通じてのデータの正常な流れを保証するためにいくつかのプロトコルのレイヤを通過することが可能である。アクセス端末においては、データの流れは処理装置によって制御されることが可能である。処理装置は、復調器と通信中であることが可能である。復調器は復号器を含むことが可能である。受信された信号は、復号されたデータを生成するために復調されそして復号される。復号されたデータは処理装置に通される。復調器および復号器はディジタル信号処理装置、特定用途向け集積回路、およびプログラム可能なコンポーネントを含むいくつかのコンポーネントを有することが可能である。一般的に、データの流れを制御するための処理装置による決定は、制御処理が復調器あるいは復号器の動作を早まって終了させる等の制御不能な方法で復調器および復号器部分に到着することが可能である。制御処理の一つの例は、アクセス端末に対する第1のアクセスポイントから第2のアクセスポイントへのハンドオフ処理を含むことが可能である。復調器あるいは復号器は、ハンドオフ制御処理が復調器に到達するときに、通信システム内の第1のアクセスポイントからの信号の処理の過程にあるかも知れない。復調器あるいは復号器の動作が早まって終了させられる場合は、処理されたデータは失われるかも知れない。その結果、アクセス端末は1個あるいはそれ以上の動作を不必要に繰返すことを必要とするかも知れない。
【０００３】
その結果アクセス端末の処理を、通信システム内のアクセスポイントからの信号を処理する間制御するためのニーズが存在する。
【発明の開示】
【課題を解決するための手段】
【０００４】
一つの方法および装置が、アクセス端末の動作を効率的に制御することを与える。方法および組み合わせられた装置は、通信システムタイミングに基づいて放送制御メッセージのカプセルの開始を検出し、そして検出に基づいてアクセス端末のハンドオフ処理を不可能とするための処理ステップおよび手段を含む。アクセス端末の動作はハンドオフ処理によって制御信号の復調および復号処理を早まって終了させることを防止するように制御される。アクセス端末はその電池電力を維持する間は通常のウエークアップ／スリープ(wake up/sleep)サイクル期間をもって動作を継続することが可能である。放送制御メッセージカプセルの開始を検出する後に、もしもアクセス端末があらかじめ定義されたデータパターンを有する一連のデータビットの復号を失敗することによって、放送制御メッセージのカプセルのプリアンブル(preamble)の検出に失敗する場合は、アクセス端末はハンドオフ処理を可能にする。アクセス端末はプリアンブルを検出する後に、検出されたプリアンブルに続くパケット長を決定することに基づいて放送制御メッセージのカプセル内の次のデータのパケットの開始を決定する。アクセス端末は次のデータのパケットの開始時刻において次のプリアンブルを探索する。もしもアクセス端末が次のプリアンブルの検出に失敗する場合はアクセス端末はハンドオフ処理を可能とする。
【０００５】
プリアンブルを検出する後にアクセス端末は検出されたプリアンブルに続くデータを復号する。もしもアクセス端末が復号されたデータの失敗を検出する場合は、アクセス端末はハンドオフ処理を可能とする。検出されたプリアンブルに続くデータを復号する後に、もしもアクセス端末が放送制御メッセージのカプセルの終端部を検出する場合は、アクセス端末はハンドオフ処理を可能とする。
【発明を実施するための最良の形態】
【０００６】
本発明の特徴、目的および利点が図面と関連させた場合に以下に示す詳細な記述からより明白になろう。図面において同様の参照符号は全体を通して同一のものと認定する。
一般的に述べたとおり、新しいそして改善された方法および装置は、通信システムにおけるアクセスポイントからの信号を処理する期間中、アクセス端末の動作を制御することを与える。本発明の種々の観点は、その復調器あるいは復号器がアクセスポイントから受信された制御メッセージを復調しあるいは復号するために動作している場合には、アクセス端末に対してそのハンドオフ処理を不可能とすることを与える。アクセス端末の動作は、ハンドオフ処理によって制御信号の復調および復号処理が早まって終了されることを防止するような方法で制御される。その結果、アクセス端末はその電池電力が維持される間は、通常のウエークアップ／スリープサイクル期間をもって動作を継続することが可能である。この中に記述された1個あるいはそれ以上の典型的な実施例は、ディジタル無線データ通信システムの環境において示される。この環境における使用は有利ではあるが、本発明に関する異なった実施例は、異なった環境あるいは構成の中に組み込まれることが可能である。一般的に、この中に記述された種々のシステムは、ソフトウエアによって制御される(software-controlled)処理装置、集積回路、あるいは個別論理を使用して形成されることが可能である。データ、命令、指令、情報、信号、シンボル、そして応用を通じて参照されることが可能なチップは、電圧、電流、電磁波、磁場あるいは粒子、光学場あるいは粒子、あるいはそれらの組み合わせによって都合よく与えられる。さらに、各ブロック線図内に示されるブロックはハードウエアあるいは方法ステップとして示すことが可能である。
【０００７】
より特定的には、本発明の種々の実施例は、米国通信工業会（ＴＩＡ）および他の標準化機関により発行された種々の標準の中に開示され、そして記述されて来ている、符号分割多元接続（ＣＤＭＡ）技術に従って動作する無線通信システムに組み込まれることが可能である。このような標準類は、すべて参照によってこの中に組み込まれている、ＴＩＡ／ＥＩＡ‐９５標準、ＴＩＡ／ＥＩＡ‐ＩＳ‐２０００標準、ＩＭＴ‐２０００標準、ＵＭＴＳおよびＷＣＤＭＡ標準を含む。データの通信のためのシステムはまた、参照によってこの中に組み込まれている“ＴＩＡ／ＥＩＡ／ＩＳ‐８５６ｃｄｍａ２０００高レートパケットデータエアインタフェース規格”の中に詳述されている。標準類のコピーは、アドレスがhttp://www．3gpp2．orgのワールドワイドウエブにアクセスすることによって、あるいは、ＴＩＡ、標準および技術局、2500 Wilson Boulevard,Arlington,VA 22201,United States of Americaに手紙を書くことによって入手することが可能である。この中に参照によって組み込まれている、一般的にＵＭＴＳ標準として識別される標準は3GPP Support Office、650 Route des Lucioles-Sophia Antipolis,Valbonne-Franceにコンタクトすることによって入手することが可能である。
【０００８】
図１は、本発明の種々の実施例を組み込んでいると同時に、任意の符号分割多元接続（ＣＤＭＡ）通信システム標準に従って動作することが可能な通信システム１００の一般的なブロック線図を示す。通信システム１００は、音声、データ、あるいは両者の通信に対して可能である。一般的に通信システム１００はアクセス端末１０２〜１０４等のいくつかのアクセス端末間の、そしてアクセス端末１０２〜１０４および公衆交換電話およびデータネットワーク１０５間の通信リンクを与えるアクセスポイント１０１を含む。
【０００９】
図１におけるデータアクセス端末（ＡＴ）は、本発明の主要な範囲および種々の利点から逸脱することなしに移動局として、そしてデータアクセスポイント（ＡＰ）は基地局として参照されることが可能である。ＡＰ１０１は、ＡＰ制御器およびＡＰトランシーバシステム等のいくつかのコンポーネントを含むことが可能である。単純化のためにこれらのコンポーネントは示されない。ＡＰ１０１は、他のアクセスポイントたとえばＡＰ１６０と通信中であるかも知れない。ＡＰ１０１および１６０および示されない種々の制御ノードを含むアクセスネットワーク（ＡＮ）は、通信システム１００およびネットワーク１０５およびアクセスポイント１０１および１６０間のバックハウル１９９に関する種々の動作状況を制御することが可能である。
【００１０】
ＡＰ１０１は、ＡＰ１０１から送信された順方向リンク信号を経由してそのカバレージ領域内にある各ＡＴと通信する。アクセス端末１０２〜１０４に対して向けられた順方向リンク信号は順方向リンク信号１０６を形成するために加算されることが可能である。順方向リンクは、いくつかの異なった順方向リンクチャネルを搬送することが可能である。制御チャネルはまた、制御情報を受信するためにアクセス端末の中に共有されることが可能なものに含まれるかも知れない。このような制御チャネルは、すべてのアクセス端末に対する制御情報を放送するために利用されることが可能である。通信システムは多数のアクセス端末を含むことが可能であるために、アクセス端末のグループに対する放送制御メッセージの伝送はある期間にわたって分散されるかも知れない。
【００１１】
たとえば、ＩＳ‐８５６システムにおいては、各ＡＰは４２６．７ミリ秒毎に1回制御メッセージのカプセルを放送する。ＡＴが電源投入され、アクセスポイントの一つを経由して登録する(registers)場合、アクセスネットワークは５．１２秒の期間内の４２６．７ミリ秒の、１２個の可能なチャネルサイクルの一つをＡＴに指定する。ＡＴは、アクセスポイントの中を移動するときに、同じ指定されたサイクルを維持することが可能である。順方向リンク信号１０６を受信するアクセス端末１０２〜１０４の各々は、そのユーザに対して向けられた情報を抽出するために順方向リンク信号１０６を復号することが可能である。その結果、各ＡＴはＡＰがそのＡＴに制御メッセージを送出することを試みているか否かを決定するために、５．１２秒ごとに一度放送制御チャネルをモニタする。ＡＴは放送制御メッセージを、ウエークアップするまで、少なくとも５．１２秒ごとに一度復調しそして復号する。各ＡＴは、独自の符号を指定されている。しかしながら、制御メッセージのプリアンブルはすべてのアクセス端末によって知られた共通の符号で符号化されている。もしもＡＴが放送制御メッセージのプリアンブルを成功のうちに復号する場合は、ＡＴはプリアンブルデータに続くデータを復号することを継続する。ＡＴに向けられたメッセージは、放送制御メッセージのカプセルの中に組み込まれることが可能である。その結果、ＡＴはそのＡＴに対して何らかのメッセージが送信されたか否かを決定するために、メッセージのカプセル全体を復調しそして復号することを必要とするかも知れない。放送制御メッセージのカプセルは、カプセル内のメッセージの終端部を示すためにメッセージの中に組み込まれるメッセージデータの終端部を有することが可能である。
【００１２】
指定された制御チャネルサイクルの期間中、もしもＡＴが制御メッセージのカプセルのプリアンブルの検出に失敗する場合は、ＡＴはスリープモードに入りそして次の制御チャネルサイクルに対してウエークアップする。もしもＡＴがプリアンブルを検出しそしてプリアンブルに続くデータを不成功のうちに復号する場合は、ＡＴ端末は、放送制御チャネルをモニタすることを終了させそしてスリープモードに入ることが可能である。ＡＴは、何らかのメッセージがそれに対して向けられているか否かを検出するために、次の制御チャネルサイクルにウエークアップすることが可能である。もしもＡＴがプリアンブルを検出しそしてプリアンブルに続くデータを成功のうちに復号する場合は、ＡＴ端末はメッセージに対応することが可能である。メッセージはそのＡＴに対するページングメッセージであるかも知れない。ページングメッセージは、ＡＴが他のチャネルをモニタすることを必要とするかも知れないとの指示を含むことが可能である。ページングメッセージはＡＰによってＡＴとの通信リンクを確立するために使用されることが可能である。もしもＡＴが制御メッセージのカプセルの中に、応答する必要のないメッセージインジケータの終端部を検出する場合は、ＡＴはスリープモードに入りそして次の制御チャネルサイクルにウエークアップする。
【００１３】
ＡＰ１６０はまた、そのカバレージ領域内にあるアクセス端末とＡＰ１６０から送信された順方向リンク信号を経由して通信することが可能である。制御メッセージのカプセルの放送および受信に関する同様な動作がＡＰ１６０およびそのカバレージ領域内にあるアクセス端末によって実行されることが可能である。アクセス端末１０２〜１０４は、アクセスポイント１０１および１６０と対応する逆方向リンクを経由して通信することが可能である。各逆方向リンクは、アクセス端末１０２〜１０４それぞれに対する逆方向リンク信号１０７〜１０９等の逆方向リンク信号によって維持される。逆方向リンク信号１０７〜１０９は、１個のＡＰに対して向けられるかも知れないが他のアクセスポイントにおいても受信されることが可能である。
【００１４】
アクセスポイント１０１および１６０は、ハンドオフ処理の期間中共通のＡＴに対して同時に通信することを試みるかも知れない。ハンドオフ処理は、通信リンクを一つのＡＰから他に渡す。たとえば、ＡＴ１０２はアクセスポイント１０１および１６０ときわめて接近しているかも知れない。そしてそれは、両アクセスポイント１０１および１６０と通信を維持することが可能である。ハンドオフのこの期間を含む任意の時刻において順方向リンク上において、ＡＰ１０１は順方向リンク信号１０６上に、そしてＡＰ１６０は順方向リンク信号１６１上に、制御メッセージのカプセルを放送することが可能である。ハンドオフ処理は、ＡＴ１０２が順方向リンク１０６上の放送制御メッセージのカプセルを復調することを試みている場合に発生することが可能である。もしもハンドオフ処理が、順方向リンク１０６上に送信された放送制御メッセージのカプセルの復調および復号を終了する以前に発生する場合は、ＡＴ１０２は、復調処理を早まって終了させそして放送制御メッセージの他のカプセルに対する順方向リンク１６１をモニタすることを開始することが可能である。その結果、ＡＴ１０２は、もしもアクセスポイント１０１から送信された放送制御メッセージのカプセルの復調および復号を終了していない場合は、スリープ期間に戻らないことが可能である。このように、ハンドオフ処理に関係するアクセスポイントは、不必要にウエークアップ状態に留まり(stay awake)、そしてより長時間に亙って信号の処理および電池電力資源の浪費を実行することを必要とされることが可能である。このような問題を排除するために、本発明の種々の観点に従って、各ＡＴは、ハンドオフ処理の終了を防止し、そして放送制御メッセージのカプセルのメッセージの終端部が検出されてしまうまでは、いかなるハンドオフ処理をも開始することを不可能としている。
【００１５】
逆方向リンク上においてＡＴ１０２は、両アクセスポイント１０１および１６０によって受信されるために逆方向リンク信号１０７上に送信する。データのパケットをＡＴ１０２に対して送信することに対して、アクセスポイント１０１および１６０の一つは、データのパケットをアクセス端末１０２に送信するために選択されることが可能である。逆方向リンク上において両アクセスポイント１０１および１６０は、アクセス端末１０２からのトラフィックデータ伝送を復号することを試みることが可能である。逆方向および順方向リンクのデータレートおよび電力レベルは、ＡＰおよびＡＴ間のチャネル条件に従って維持されることが可能である。ＡＴが第１のＡＰから離れて移動するときに、第１のＡＰからの順方向リンクは、ＡＴに、適切な誤り率で通信リンクを維持するための適切なレベルで到達しないかも知れない。この点で、ハンドオフ処理は終了されているべきであり、そしてＡＴとの通信リンクは第２のＡＰとともにあるべきである。ハンドオフ処理はＡＴの移動速度(mobility speed)によって非常に速いことが可能である。
【００１６】
ＡＴはアイドルモードあるいはトラフィックモードにあることが可能である。トラフィックモードにおいては、ＡＴはＡＰとアクティブなトラフィックリンクを有する。アイドルモードにおいては、ＡＴはその指定されたサイクル期間中制御メッセージを受信することに対する制御チャネルをモニタする。アイドルモード期間中、もしもＡＴが第１のＡＰから送信された放送メッセージのカプセルを復号している場合は、放送メッセージのカプセルの復調および復号は続けられ、そしてハンドオフ処理はＡＴが放送メッセージのカプセルの開始を検出する場合はＡＴ内で不可能とされる。放送メッセージのカプセルの開始は通信システム１００のタイミングおよびＡＴに対して指定された制御チャネルサイクルに基づいて検出されることが可能である。もしもＡＴが放送メッセージのカプセルの開始を検出する場合は、ＡＴはハンドオフ処理に関係する情報を処理することを決定することが可能であるが、しかし本発明の種々の観点に従って放送メッセージのカプセルの処理を終了する前のハンドオフ処理の終了を防止する。ハンドオフ処理の終了は、第１のＡＰとのいかなる通信リンクも放棄し、そして第２のＡＰとの新しい通信リンクを開始することを含むことが可能である。
【００１７】
本発明の種々の観点は、図２内のフロー線図２４０に示された種々の動作に対する参照によってより明白になることが可能である。フロー線図２４０に記述されそして示されたステップおよび機能は、ＡＴの制御器あるいは処理装置により実行されることが可能である。ステップ２４１において、ＡＴは放送制御メッセージのカプセルの開始を検出することが可能である。放送制御メッセージのカプセルの開始は、ＡＴによって記憶されそして測定されたシステムタイミングに基づいて検出されることが可能である。ステップ２４２において、ＡＴは、もしもＡＴがハンドオフ処理を開始している場合はいかなるハンドオフ処理の終了も防止するハンドオフ動作を不可能にする。一つの実施例に従って、ＡＴは、もしもチャネル条件に基づいてハンドオフ処理を開始する必要がある場合は、ハンドオフ処理に関連したデータを収集し、そしてハンドオフ処理を開始することが可能である。しかしながら、もしもそれがステップ２４１において放送制御メッセージのカプセルの開始を検出している場合は、本発明の種々の観点に従ってＡＴはハンドオフ処理を終了しないことが可能である。
【００１８】
放送制御メッセージのカプセル内の各パケットはプリアンブルを有している。ステップ２４３において、ＡＴはプリアンブルデータを探索する。プリアンブルは放送制御メッセージのカプセルの各パケット内の特定のパターンを有する一連のデータビットであることが可能である。その結果、プリアンブルの探索はプリアンブルパターンに整合する一連のデータビットに対する探索を含むことが可能である。もしもステップ２４４においてプリアンブルが検出されない場合は、処理フローはハンドオフ処理を可能とするためにステップ２５３に移動する。この点において、もしもハンドオフ処理を終了するための何らかの必要性がある場合は、ＡＴはハンドオフ処理を終了する。もしもステップ２４４においてプリアンブルが検出される場合は、処理フロー２４０はステップ２４９および２４５に移動する。ステップ２４５において、ＡＴはプリアンブルデータに続くデータを復調しそして復号することを試みる。ステップ２４６においてＡＴは復号されたデータ内の誤った表示をチェックする。もしもデータがいかなる誤りもなく復号される場合は、復号されたデータをプロトコルの上側のレイヤに通すために処理フローはステップ２４７に移動する。もしもデータが採用不可能な誤りの形式で復号される場合、たとえば巡回冗長検査（ＣＲＣ）の通過の失敗に対しては、処理フローはハンドオフ処理を可能にするためにステップ２５３に移動する。最もありそうな誤りの表示は、受信された信号の不十分な信号対雑音条件に起因する。一つの場合においては、不十分な信号対雑音比は、放送制御メッセージカプセルを送信したＡＰからの、ＡＴの離隔移動(moving away)に起因することが可能である。
【００１９】
ステップ２４４においてプリアンブルを検出する後に、処理フローはまたステップ２４９において検出されたプリアンブルに続くパケット長を決定する。プリアンブルに続くデータのパケット長およびデータレートは、検出されたプリアンブルのパターンに基づいて決定されることが可能である。パケット長情報に基づいて、ステップ２５０において、処理フローは放送制御メッセージのカプセル内の次のデータのパケットの開始を決定する。ステップ２５１における、次のプリアンブルの予想される開始時刻に対応する適切な待ち時間の後に、処理フローは、プリアンブルがステップ２４４において検出されることが可能か否かを決定するために制御メッセージのカプセル内の他のプリアンブルを探索するために、ステップ２４３にループバック(loops back)する。また、ステップ２４７における処理フロー２４０は、復号されたデータのパケットを上側のレイヤに通す後にステップ２４８に移動する。ステップ２４８において、処理フローは放送制御メッセージのカプセルの終端部が到達されているか否かを決定する。メッセージの終端部はパケット内のメッセージを復号することによって決定されることが可能である。もしもメッセージの終端部が検出される場合は、ハンドオフ処理を可能とするために処理フローはステップ２５３に移動する。もしもメッセージの終端部が到達されていない場合は、処理フロー２４０はステップ２５１に移動し、そして他のプリアンブルを探索するためにステップ２４４にループバックする。
【００２０】
図３は、本発明の種々の観点に従って動作すると同時に受信されたＣＤＭＡ信号を処理しそして復調するために使用される受信機２００のブロック線図を示す。受信機２００は、逆方向および順方向リンク信号上の情報を復号するために使用されることが可能である。受信機２００は、基本チャネル、制御チャネル、および補助的チャネル上の情報を復号するために使用されることが可能である。受信機２００は、本発明の種々の観点に従って動作するＡＴ内で放送制御メッセージのカプセルを搬送する信号を処理するために使用されることが可能である。受信された（Ｒｘ）サンプルはＲＡＭ２０４内に記憶されることが可能である。受信サンプルは、無線周波数／中間周波数（ＲＦ／ＩＦ）システム２９０およびアンテナシステム２９２によって発生される。ＲＦ／ＩＦシステム２９０およびアンテナシステム２９２は、複数の信号を受信しそして受信ダイバーシティ利得を利用するために受信された信号のＲＦ／ＩＦ処理を行うための１個あるいはそれ以上のコンポーネントを含むことが可能である。異なった伝播経路を通って伝播された複数の受信された信号は共通のソースからのものであるかも知れない。アンテナシステム２９２はＲＦ信号を受信し、そしてＲＦ信号をＲＦ／ＩＦシステム２９０に通す。ＲＦ／ＩＦシステム２９０は、任意の従来のＲＦ／ＩＦ受信機であることが可能である。受信されたＲＦ信号は濾波され、ダウンコンバートされそしてベースバンド周波数においてＲＸサンプルを形成するためにディジタイズされる。サンプルはマルチプレクサ（ｍｕｘ）２５２に与えられる。ｍｕｘ２５２の出力は、探索ユニット(searcher unit)２０６およびフィンガエレメント２０８に与えられる。制御システム２１０はここに結合される。結合器(combiner)２１２は復号器２１４をフィンガエレメント２０８に結合する。制御システム２１０は、ソフトウエアによって制御されるマイクロ処理装置であることが可能であり、そして同じ集積回路上あるいは分離した集積回路上に置かれることが可能である。復号器２１４における復号機能は、ターボ復号器、あるいは任意の他の適切な復号アルゴリズムに従うことが可能である。ソースから送信された信号は、符号のいくつかのレイヤで符号化されることが可能である。復号器２１４は、２個あるいはそれ以上の符号に従って復号機能を実行することが可能である。たとえば、送信されたデータは二つの異なったレイヤ、外側レイヤおよび物理レイヤにおいて符号化されることが可能である。物理レイヤはターボ符号に従うことが可能であり、そして外側レイヤは、リードソロモン符号(Reed Solomon code)に従うことが可能である。このように復号器２１４は受信されたサンプルをこのような符号に従って復号する。
【００２１】
動作期間中受信されたサンプルはｍｕｘ２５２に与えられる。ｍｕｘ２５２は、サンプルを探索ユニット２０６およびフィンガエレメント２０８に与える。制御ユニット２１０は、探索ユニット２０６からの探索結果に基づいて異なった時間オフセットで受信された信号の復調および逆拡散(despreading)を実行するためにフィンガエレメント２０８を構成する。復調の結果は結合されそして復号器２１４に通される。復号器２１４はデータを復号し、そして復号されたデータを出力する。チャネルの逆拡散は、受信されたサンプルをＰＮシーケンスの複素共役および指定されたウオルシュ関数(Walsh function)とシングルタイミング仮定で(at a single timing hypothesis)乗算し、そして結果となるサンプルを、しばしば積分およびダンプ累算回路（図示せず）を用いてディジタル的に濾波することによって実行される。このような技術は当業界においては一般に知られている。受信機２００は、アクセス端末から受信された逆方向リンク信号を処理するためのアクセスポイント１０１および１６０の受信機部分において、そして受信された順方向リンク信号を処理するための任意のアクセス端末の受信機部分において使用されることが可能である。
【００２２】
復号器２１４は、データシンボルの検出のために結合されたエネルギーを累算することが可能である。データの各パケットは巡回冗長検査（ＣＲＣ）フィールドを搬送することが可能である。復号器２１４は、制御システム２１０およびあるいは他の制御システムと接続して、受信されたデータパケット内の誤りをチェックする。もしもＣＲＣデータが合格しない場合は受信されたデータのパケットは、誤りを持って受信されている。受信機２００は、ＡＳＩＣ、ＤＳＰおよびマイクロ処理装置の使用等の多くの異なった方法で実現されることが可能である。しかしながら、復号されたデータの処理は、受信機２００と接続された処理装置によって実行されることが可能である。受信機２００による受信された信号の処理は広範囲に亙りそして時間が支配的である(time critical)ために、受信機２００の多くの観点は自立的に実行されるかも知れない。たとえば、パイロット信号の探索、種々の信号の復調および復号等は、自立的に開始され、そして終了されることが可能である。一つの特定の例においては、受信機２００が放送制御メッセージのカプセルを搬送する信号の処理を開始する場合に、処理は制御処理装置から受信された指示によって終了されることが可能である。命令はハンドオフ処理によって発生されることが可能である。本発明の種々の観点に従って、ＡＴはその復調器あるいは復号器がＡＰから受信された制御メッセージを復調し、あるいは復号するために動作中である場合はハンドオフ処理を不可能とする。ＡＴ端末は受信機２００等の受信機、送信機、および処理装置を含むことが可能である。ＡＴの動作は、ハンドオフ処理によって制御信号の復調および復号処理が早まって終了することを防止する方法で制御される。その結果、ＡＴはその電池電力を維持する間は通常のウエークアップ／スリープサイクル期間において動作を継続することが可能である。
【００２３】
図４は、放送制御メッセージのカプセルを搬送する信号の処理を含む、宛先との通信リンクを維持するための、受信機２００および送信機３００を組み込むためのトランシーバシステム４００に関する一般的線図を示す。トランシーバ４００内の送信機３００は、ＣＤＭＡ標準に従った信号の伝送に対して適した任意の既知の送信機であることが可能である。トランシーバ４００は、ＡＴあるいはＡＰの中に組み込まれることが可能である。処理装置４０１は受信されそして送信されたデータを処理するために受信機２００および送信機３００に結合されることが可能である。受信機２００および送信機３００に関する種々の観点は、たとえ受信機２００および送信機３００が別々に示されるとしても共通である。一つの観点においては、受信機２００および送信機３００はＲＦ／ＩＦ受信および送信のための、共通の局部発振器および共通のアンテナシステム４９９を共有することが可能である。送信機３００は入力４０５上で伝送のためのデータを受信する。送信データ処理ブロック４０３は、伝送のためのデータを送信チャネル上に準備する。受信されたデータは復号器２１４内で復号される後に、入力４０４において処理装置４０１で受信される。受信されたデータは、処理装置４０１内の受信されたデータ処理ブロック４０２において処理される。処理装置４０１の種々の動作は、単一のあるいは複数の処理ユニット内に合体されるかも知れない。トランシーバ４００は、他のデバイスに接続されるかも知れない。トランシーバ４００は、デバイスの必須の部分であることが可能である。デバイスは計算機であることが可能であり、あるいは計算機と同様の動作をする。デバイスは、インターネット等のデータネットワークに接続されることが可能である。アクセスポイントにおいてトランシーバ４００を組み込む場合にアクセスポイントはいくつかの接続を経由してインターネット等のネットワークに接続されることが可能である。
【００２４】
受信されたデータの処理は、一般的に受信されたデータのパケット内の誤りに対するチェッキングを含む。受信データ記憶ブロック４８０は、データの全体のブロックを再構成するために各データのパケット内に受信されたデータを累算することが可能である。データの全体のブロックは、ソースから送信された完全なメッセージを形成することが可能である。受信されたデータ処理ブロック４０２と接続された処理装置４０１は、本発明の種々の観点に従ってハンドオフ処理を可能としあるいは不可能とするためのフローチャート２４０の種々の観点を実行することが可能である。たとえば、ステップ２４２においてハンドオフを不可能とすることおよびステップ２５３においてハンドオフを可能にすることは、本発明の種々の観点に従って処理装置４０１から受信機２００に通信されることが可能である。プリアンブルを探しそしてプリアンブルがステップ２４３および２４４において検出されるか否かを決定するステップは、受信機２００によって実行されることが可能である。結果はステップ２５３においてハンドオフが可能とされるか否かを決定するために、受信されたデータ処理ユニット４０２を経由して処理装置４０１に通信されることが可能である。その結果、フローチャート２４０における種々のステップは処理装置４０１およびその内部のユニットによって、そして他の種々のステップは受信機２００によって実行されることが可能である。
【００２５】
この中に開示された実施例に関連して記述された、種々の例証となる論理ブロック、モジュール、および回路は、汎用処理装置、ディジタル信号処理装置（ＤＳＰ）、特定用途向け集積回路（ＡＳＩＣ）、フィールドプログラマブルゲートアレイ（ＦＰＧＡ）あるいは他のプログラム可能な論理デバイス、個別ゲートあるいはトランジスタ論理、個別ハードウエアコンポーネント、あるいはこの中に記述された任意の機能を実行するために設計されたそれらの任意の組み合わせによって実現され、あるいは実行されることが可能である。汎用処理装置はマイクロ処理装置であるかも知れず、しかしあるいは処理装置は任意の従来の処理装置、制御器、マイクロ制御器、あるいはステートマシンであるかも知れない。処理装置はまた、計算デバイスの組み合わせとして、たとえば、ＤＳＰおよびマイクロ処理装置の組み合わせ、複数のマイクロ処理装置、ＤＳＰコアと組み合わせられた１個あるいはそれ以上のマイクロ処理装置、あるいは任意の他のこのような構成として実現されるかも知れない。
【００２６】
この中に開示された実施例に関連して記述された方法のステップあるいはアルゴリズムは直接にハードウエア内で、処理装置によって実行されるソフトウエアモジュール内で、あるいは組み合わせ内で実現されることが可能である。ソフトウエアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ‐ＲＯＭ、あるいは当業界において知られる記憶媒体の任意の他の形態の中に置かれるかも知れない。典型的な記憶媒体は、処理装置が記憶媒体から情報を読み取り、そして情報を書き込むことが可能であるように、処理装置に結合される。代わりに、記憶媒体は処理装置にとって必須のものであることが可能である。処理装置および記憶媒体はＡＳＩＣの中に置かれるかも知れない。ＡＳＩＣは、ユーザ端末の中に置かれるかも知れない。あるいは処理装置および記憶媒体はユーザ端末の中に個別コンポーネントとして置かれるかも知れない。
【００２７】
選定された実施例に関する以上の記述は、当業界において熟練したいかなる人も本発明を作成しあるいは使用することを可能とするために与えられる。これらの実施例に対する種々の変更は、当業界において熟練した人々には容易に明白であろうし、そしてこの中に定義された一般的原理は発明的才能を使用することなしに他の実施例に対しても適用可能である。したがって、本発明はこの中に示された実施例に限定されることを意図したものではなく、しかしこの中に開示された原理および新規な特徴と矛盾のない最も広い範囲に一致されるべきものである。
【図面の簡単な説明】
【００２８】
【図１】図１は、本発明の種々の観点に従って動作するアクセス端末によりデータを送信しそして受信するための通信システムを示す。
【図２】図2は、本発明の種々の観点に従ってアクセス端末の動作を制御するための種々のステップに関するフロー線図を示す。
【図３】図3は、本発明の種々の観点に従ってデータを受信しそして制御されるための受信機システムを示す。そして
【図４】図４は、本発明の種々の観点に従って動作する期間中データを送信しそして受信するためのトランシーバシステムを示す。
【符号の説明】
【００２９】
１００…通信システム、  １０１…アクセスポイント、  １０２〜１０４…アクセス端末（ＡＴ）、  １０５…データネットワーク、  １０６…順方向リンク、  １６０…ＡＰ、  １６１…順方向リンク、  １９９…バックハウル、  ２００…受信機、  ２０４…ＲＡＭ、  ２０６…探索ユニット、  ２０８…フィンガエレメント、  ２１０…制御システム、  ２１２…結合器、  ２１４…復号器、  ２４０…処理フロー、  ２５２…マルチプレクサ、  ２９０…中間周波数システム、  ２９２…アンテナシステム、  ３００…送信機、  ４００…トランシーバシステム、  ４０１…処理装置、  ４０２…データ処理ブロック、  ４０３…送信データ処理ブロック、  ４０４…入力、  ４０５…入力、  ４８０…受信データ記憶ブロック、  ４９９…アンテナシステム
【図１】
0004546456.tif 000002
【図２】
0004546456.tif 000003
【図３】
0004546456.tif 000004
【図４】
0004546456.tif 000005